(57)【要約】【課題】仮連結プラグの外周面に壁面仕上げのモルタルや接着剤が付着しないので、壁面仕上げ後に抜け穴の周囲を欠壊することなく、その仮連結プラグを容易に取り外すことのできる配管継手口埋設式壁面仕上げ工法を提供する。【解決手段】壁躯体に設けた抜け穴において、壁面仕上げ側に対する外側に架設される先着配管の継端口に仮連結プラグを装着し、壁面の仕上げ後に正規の接続部品の取り付けのために、その仮連結プラグを抜き取る配管継端口埋設式壁面仕上げ工法において、仮連結プラグの外周面に被覆部材を予め嵌着しておき、壁面仕上げにより壁に密着した被覆部材を残したまま、仮連結プラグの抜き取りをなすことを特徴とする。【選択図】　　図１
2004027748.tif 000002
【特許請求の範囲】
【請求項１】
壁躯体に設けた抜け穴において、壁面仕上げ側に対する外側に架設される先着配管の継端口に仮連結プラグを装着し、壁面の仕上げ後に正規の接続部品の取り付けのために、その仮連結プラグを抜き取る配管継端口埋設式壁面仕上げ工法において、仮連結プラグの外周面に被覆部材を予め嵌着しておき、壁面仕上げにより壁に密着した被覆部材を残したまま、仮連結プラグの抜き取りをなすことを特徴とする配管継端口埋設式壁面仕上げ工法。
【請求項２】
仮連結プラグの外周面に嵌着する被覆部材が、巻き取った熱収縮性樹脂チューブを巻き戻して切断した短片であって、それを加熱して仮連結プラグに密着させることを特徴とする請求項１記載の配管継端口埋設式壁面仕上げ工法。
【請求項３】
仮連結プラグの外周面に装着する被覆部材が、予めその仮連結プラグの外周面の形状に形成された熱収縮性樹脂チューブであることを特徴とする請求項１記載の配管継端口埋設式壁面仕上げ工法。
【発明の詳細な説明】
【０００１】
【発明の属する技術分野】
この発明は、例えば、建築物の壁に設けた抜け穴の中に配管の継端口を位置させる配管工事の場合に、蛇口等の正規の接続部品の代わりに一旦仮連結プラグを抜け穴に装填して壁面仕上げ作業をなす配管継端口埋設式壁面仕上げ工法に関する。
【０００２】
【従来の技術】
建物の新築や増改築等の水回り現場では、壁の内部に配管の雌ねじを有する継端口を位置させるときがある。例えば、配管を壁に持たせる場合や、台所の壁に蛇口を取り付けるようなときである。このような場合に、壁面仕上げ前の壁躯体にはその取り付けのための抜け穴が設けられているので、開けたままでは壁面仕上げによりその抜け穴がモルタル等で塞がれる不都合がある。また、継端口に後続の配管や蛇口等を壁面仕上げ前から連結しておくと、表面仕上げ作業の障害となるだけでなく、それらを汚す不都合があるために、従来から、それらの代わりに、キスプラグやテストプラグと俗称される仮連結プラグを先着の配管の継端口にねじ込んで、抜け穴を塞いだ状態で壁面仕上げ作業をなし、作業が完了した後に取り除いてから、継手を介して正規のパイプや蛇口等を取り付けていた。
【０００３】
【発明が解決しようとする課題】
従来の仮連結プラグは、この発明の実施例の図１に示すように、プラグ本体の盲先端に雄ねじ９を突設したもので、先着配管の継端口にその雄ねじを螺入することにより、抜け穴に装填されそれが塞がれるが、壁面仕上げをしたときに、壁躯体に塗ったモルタルが外周面に付着し、モルタルの上にタイルを張り付けるための有機接着剤が垂れ流れて付着する等して、仮連結プラグが壁に強固に結合するので、それを容易に取り外すことはできなく、結合を解くために抜け穴の周囲のモルタルやタイルを欠壊する作業を余儀なくされていた。
【０００４】
この発明は、上記のような実情に鑑みて、仮連結プラグの外周面に壁面仕上げのモルタルや接着剤が付着しないので、壁面仕上げ後に抜け穴の周囲を欠壊することなく、その仮連結プラグを容易に取り外すことのできる配管継手口埋設式壁面仕上げ工法を提供することを目的とした。
【０００５】
【課題を解決するための手段】
上記の目的を達成するため、本発明は、壁躯体に設けた抜け穴において、壁面仕上げ側に対する外側に架設される先着配管の継端口に仮連結プラグを装着し、壁面の仕上げ後に正規の接続部品の取り付けのために、その仮連結プラグを抜き取る配管継端口埋設式壁面仕上げ工法において、仮連結プラグの外周面に被覆部材を予め嵌着しておき、壁面仕上げにより壁に密着した被覆部材を残したまま、仮連結プラグの抜き取りをなすことを特徴とする配管継端口埋設式壁面仕上げ工法を提供するものである。
【０００６】
【作用】
上記の構成によれば、壁躯体の抜け穴が仮連結プラグにより塞がれた状態で壁面仕上げがなされることはもちろん、その外周面には被覆部材が嵌められているので、壁面仕上げの際のモルタルや接着剤がその被覆部材に付着し、被覆部材のみが壁に固着状態となるため、仮連結プラグを容易に抜き取ることができる。なお、仮連結プラグについては、単に水回り現場における配管用に限らず、各種の管端又は穴を閉塞するために使用される各種のプラグ（栓、管継手など）を含むものである。
【０００７】
【発明の実施の形態】
この発明は、仮連結プラグ１の円形外周面に円筒形の被覆部材を嵌め込み、その状態で壁躯体１７の抜け穴１９を塞ぐために、抜け穴１９の周囲を破損することなく仮連結プラグ１を抜き取ることができるものであるため、被覆部材３の材質は重要であるが、この作用を果たす限り特に限定するものではない。しかし、プラスチックのフイルムやシート材質、紙等の繊維質のものが取り扱いの上やコスト面で望ましい。
【０００８】
仮連結プラグ１は、抜き勾配を有するものが一般的に使用される。したがって、被覆部材３を円筒形に形成するときには、その抜き勾配に合わせることにより、容易に嵌め込むこともでき、また、多数の被覆部材３，３，・・を重ねてまとまりで提供できる。しかし、熱収縮性樹脂であると、熱収縮により仮連結プラグ１の外周面に密着するので、必ずしも勾配を付けておく必要がない。この点において、熱収縮性樹脂チューブ３を巻き取ったものを提供（販売）すれば（請求項２）、作業者がそれから巻き戻して適当な寸法で短片に切り取って使用できるので、安価な提供が可能であるばかりか、携帯に便利であり現場状況に合わせやすい等、非常に好都合である。しかし、被覆部材３を予めプラグ１用の形状に形成しておき、それを例えば複数枚セットという形態で提供しても良いことは当然である（請求項３）。
【０００９】
仮連結プラグ１は、原則として反復使用するもので、従来品を不都合なくそのままで使用できるためこの点でも有利である。しかし、さらに抜き取りが容易となる構造とする等の改良も可能である。なお、先着配管６はパイプに限らなくエルボ等の継手となる場合もある。
【００１０】
【発明の効果】
以上説明したように、この発明によれば、仮連結プラグの円形外周面に円筒形の被覆部材を予め嵌着しておき、壁面仕上げにより壁に密着した被覆部材を残したまま、仮連結プラグの抜き取りをなすことから、仮連結プラグの外周面に壁面仕上げのモルタルや接着剤が付着しないので、壁面仕上げ後に抜け穴の周囲を破損することなく、その仮連結プラグの抜き取りを容易になし得るという優れた効果がある。
【００１１】
【実施例】
次に、この発明の配管継手口埋設式壁面仕上げ工法を図面に基づいて説明する。
【００１２】
図は一実施例を示したもので、この発明の配管継端口埋設式壁面仕上げ工法には、仮連結プラグ１に加えて、その外周に嵌める被覆部材３が用いられる。
【００１３】
仮連結プラグ１は、従来のものと同様であって、円筒形のプラグ本体の盲側としての先端に先着配管６の継端口７に螺入する雄ねじ９を突設し、基端の外周面をナット形に形成して外側角形部１１を設け、内部先端には雄ねじ９の中に凹欠する角形凹部１３を形成し、全体がアルミの鋳造と仕上げにより製造され、プラグ本体の円形外周面が先端方向に小さくなる抜き勾配に形成される。
【００１４】
被覆部材３は、熱収縮性樹脂からなる円筒形であって、これには、例えば、輪形の心材１５に巻き取った熱収縮性樹脂チューブ４が用いられ、そのロッドを巻き戻して短片に切断したものが使用される（なお、予め短片に形成されているもので提供されてもよい）。その使用については、仮連結プラグ１の円形外周に嵌めてから、ガスバーナー等により加熱して収縮により密着される。
【００１５】
壁躯体１７は、コンクリートの打ち込みにより築造され、それを造るときに配管用の抜け穴１９が大きめに形成してあるので、その抜け穴１９に仮連結プラグ１を装填し、先着配管６の継端口７に仮連結プラグ１の雄ねじ９が螺入される。図２は実線でその状態を示したもので、これにより抜け穴１９が壁面仕上げにより塞がれないように封じられる。また、同図の二点鎖線は、壁面仕上げとして壁躯体１７の内側にモルタル２５を塗り、その上にタイル２７を張った状態を示す。
【００１６】
壁面仕上げでは、モルタル２５が被覆部材３の位置において塗られるために、被覆部材３がモルタル２５に結合する（図３）。また、モルタル２５の上には有機接着剤を塗布してタイル２７が張られるため、その垂れ流しの固まり２８が被覆部材３に結合している。その結合が強固であるので、被覆部材３を残したままそれとの摩擦だけで仮連結プラグ１を抜き取ることができる。なお、抜き取る場合には、外側角形部１１または内部の角形凹部１３にレンチを掛けて回転する。そうすると、被覆部材３との密着が解けるので、無理のない抜き取り作業となる。
【００１７】
図３は、仮連結プラグ１を抜き取った後、先着の配管６に後続の接続部品として蛇口２２を接続した状態を示したもので、この場合、接続には継手２４が使用される。３０は、抜け穴１９を封じる目隠しリングである。
【図面の簡単な説明】
【図１】この発明の配管継手口埋設式壁面仕上げ工法において仮連結プラグを使用する手順を示す斜視図である。
【図２】同工法において仮連結プラグを抜け穴に装填した状態を示すとともに、二点鎖線により壁面仕上げをした状態を示す断面図である。
【図３】同工法において仮連結プラグを抜き取り蛇口を取り付けた状態を示す断面図である。
【符号の説明】
１　仮連結プラグ
３　被覆部材
４　熱収縮性樹脂チューブ
６　先着配管
７　継端口
１６　壁
１７　壁躯体
１９　抜け穴
２２　接続部品としての蛇口
２４　接続部品としての継手
２５　壁面仕上げのモルタル
２７　壁面仕上げのタイル
【図１】
2004027748.tif 000003
【図２】
2004027748.tif 000004
【図３】
2004027748.tif 000005